【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
本人確認モードに対応する顔品質スコア閾値及びアイプリント収集のステップ数をクライアントへ送信することであって、前記顔品質スコア閾値に基づいて顔画像を取得し前記アイプリント収集のステップ数に対応する個数のアイプリント対の画像を取得するために送信することと、
本人確認対象者に対応する、前記顔品質スコア閾値を満たす顔画像及び前記アイプリント収集のステップ数に対応する個数の１つ又は複数のアイプリント対の画像を前記クライアントから受信することと、
前記本人確認対象者に対応する、前記顔画像をプリセットされた顔画像と比較し、前記１つ又は複数のアイプリント対の画像をプリセットされたアイプリントテンプレートと比較することと、
前記顔画像及び前記１つ又は複数のアイプリント対の画像に対する比較結果がプリセットされた条件を満足するとき、成功した本人確認についての情報を前記クライアントへ送信すること、を含む、ユーザ本人確認方法。
【請求項２】
前記顔品質スコア閾値及び前記アイプリント収集のステップ数を送信する前に、
ユーザ本人確認要求を受信することと、
様々な本人確認対象者に対応するアイプリントテンプレートを記憶するプリセットされた格納先から前記本人確認対象者に対応するプリセットされたアイプリントテンプレートの個数を取得することと、
前記アイプリントテンプレートの個数がプリセットされた閾値以上であるとき、現在のモードが本人確認モードであると判断すること、をさらに含む、請求項１に記載の方法。
【請求項３】
前記本人確認対象者に対応するアイプリントテンプレートの個数を取得した後に、
前記アイプリントテンプレートの個数が前記プリセットされた閾値より小さいとき、前記現在のモードがアイプリント登録モードであると判断することと、
前記アイプリント登録モードに対応する顔品質スコア閾値及びアイプリント収集のステップ数を、前記顔品質スコア閾値に基づいて顔画像を取得し前記アイプリント収集のステップ数に対応する個数のアイプリント対の画像を取得するために前記クライアントへ送信することと、
前記取得されたアイプリント対の画像を前記本人確認対象者に対応する前記アイプリントテンプレートとして、前記プリセットされた格納先に記憶すること、
をさらに含む、請求項２に記載の方法。
【請求項４】
前記顔画像を前記プリセットされた顔画像と比較することが、
前記顔画像及び前記プリセットされた顔画像をプリセットされた顔アルゴリズムへの入力として使うことと、
前記プリセットされた顔アルゴリズムから前記本人確認対象者に対応する顔比較スコアを取得すること、を含む、請求項１に記載の方法。
【請求項５】
前記１つ又は複数のアイプリント対の画像を前記プリセットされたアイプリントテンプレートと比較することが、
前記本人確認対象者に対応する前記１つ又は複数のアイプリント対の画像及び前記アイプリントテンプレートをプリセットされたアイプリントアルゴリズムへの入力として使うことと、
前記プリセットされたアイプリントアルゴリズムから前記アイプリント収集のステップ数に対応する個数の多数のアイプリントライブネススコア及びアイプリント一致スコアを取得すること、を含む、請求項４に記載の方法。
【請求項６】
前記プリセットされた条件は、前記顔比較スコア、前記多数のアイプリントライブネススコア、及び前記アイプリント一致スコアがそれぞれのプリセットされた閾値より大きいこと、を含む、請求項５に記載の方法。
【請求項７】
前記顔画像及び前記１つ又は複数のアイプリント対の画像に対する前記比較結果が前記プリセットされた条件を満たすとき、前記本人確認対象者に対応する前記アイプリントテンプレートを更新すること、をさらに含む、請求項４に記載の方法。
【請求項８】
現在のモードに対応する、顔品質スコア閾値及びアイプリント収集のステップ数を受信することと、
前記顔品質スコア閾値に基づく顔画像と前記アイプリント収集のステップ数に対応する個数の１つ又は複数のアイプリント対の画像を取得することと、
サーバに本人確認対象者の本人確認を実行させるために前記取得された機顔画像と前記１つ又は複数のアイプリント対の画像を送信すること、を含む、ユーザ本人確認方法。
【請求項９】
サーバに前記取得された顔画像を送信することは、
前記取得された顔画像の画像品質が前記顔品質スコア閾値以上であることを判定することと、
前記サーバに前記取得された顔画像を送信すること、を含む、請求項８に記載のユーザ本人確認方法。
【請求項１０】
前記取得された１つ又は複数のアイプリント対の画像を前記サーバへ送信する前に、
前記１つ又は複数のアイプリント対の画像がプリセットされたアイプリントライブネス条件を満たすことを判定すること、をさらに含む、請求項８に記載のユーザ本人確認方法。
【請求項１１】
ユーザ本人確認のため１つまたは複数のプロセッサによって実行される命令であって、前記１つまたは複数のプロセッサに、
本人確認モードに対応する顔品質スコア閾値及びアイプリント収集のステップ数をクライアントへ送信することであって、前記顔品質スコア閾値に基づいて顔画像を取得し前記アイプリント収集のステップ数に対応する個数のアイプリント対の画像を取得するために送信することと、
本人確認対象者に対応する、前記顔品質スコア閾値を満たす顔画像及び前記アイプリント収集のステップ数に対応する個数の１つ又は複数のアイプリント対の画像を前記クライアントから受信することと、
前記顔画像をプリセットされた顔画像と比較し、前記１つ又は複数のアイプリント対の画像をプリセットされたアイプリントテンプレートと比較することと、
前記顔画像及び前記１つ又は複数のアイプリント対の画像に対する比較結果がプリセットされた条件を満足するとき、成功した本人確認についての情報を前記クライアントへ送信すること、を含む、動作を実行させる命令を記憶した非一時的なコンピューター読み取り可能な記憶媒体。
【請求項１２】
前記動作は、前記顔品質スコア閾値及び前記アイプリント収集のステップ数を送信する前に、
ユーザ本人確認要求を受信することと、
様々な本人確認対象者に対応するアイプリントテンプレートを記憶するプリセットされた格納先から前記本人確認対象者に対応するプリセットされたアイプリントテンプレートの個数を取得することと、
前記アイプリントテンプレートの個数がプリセットされた閾値以上であるとき、現在のモードが本人確認モードであると判断すること、をさらに含む、請求項１１に記載の非一時的なコンピューター読み取り可能な記憶媒体。
【請求項１３】
前記動作は、前記本人確認対象者に対応するアイプリントテンプレートの個数を取得した後に、
前記アイプリントテンプレートの個数が前記プリセットされた閾値より小さいとき、前記現在のモードがアイプリント登録モードであると判断することと、
前記アイプリント登録モードに対応する顔品質スコア閾値及びアイプリント収集のステップ数を、前記顔品質スコア閾値に基づいて顔画像を取得し前記アイプリント収集のステップ数に対応する個数のアイプリント対の画像を取得するために前記クライアントへ送信してすることと、
前記取得されたアイプリント対の画像を前記本人確認対象者に対応する前記アイプリントテンプレートとして、前記プリセットされた格納先に記憶すること、をさらに含む、請求項１２に記載の非一時的なコンピューター読み取り可能な記憶媒体。
【請求項１４】
前記顔画像を前記プリセットされた顔画像と比較することが、
前記顔画像及び前記プリセットされた顔画像をプリセットされた顔アルゴリズムへの入力として使うことと、
前記プリセットされた顔アルゴリズムから前記本人確認対象者に対応する顔比較スコアを取得すること、を含む、請求項１１に記載の非一時的なコンピューター読み取り可能な記憶媒体。
【請求項１５】
前記１つ又は複数のアイプリント対の画像を前記プリセットされたアイプリントテンプレートと比較することが、
前記本人確認対象者に対応する前記１つ又は複数のアイプリント対の画像及び前記アイプリントテンプレートをプリセットされたアイプリントアルゴリズムへの入力として使うことと、
前記プリセットされたアイプリントアルゴリズムから前記アイプリント収集のステップ数に対応する個数の多数のアイプリントライブネススコア及びアイプリント一致スコアを取得すること、を含む，請求項１４に記載の非一時的なコンピューター読み取り可能な記憶媒体。
【請求項１６】
前記プリセットされた条件は、前記顔比較スコア、前記多数のアイプリントライブネススコア、及び前記アイプリント一致スコアがそれぞれのプリセットされた閾値より大きいこと、を含む、請求項１５に記載の非一時的なコンピューター読み取り可能な記憶媒体。
【請求項１７】
前記動作は、前記顔画像及び前記１つ又は複数のアイプリント対の画像に対する前記比較結果が前記プリセットされた条件を満たすとき、前記本人確認対象者に対応する前記アイプリントテンプレートを更新すること、を更に含む、請求項１４に記載の非一時的なコンピューター読み取り可能な記憶媒体。